(57)【要約】【課題】マルチキャリア無線通信に対する搬送波割当て、構成および切替えのための方法および装置を提供する。【解決手段】マルチキャリア無線通信のための方法は、無線送信／受信ユニット（ＷＴＲＵ）によって、ダウンリンク（ＤＬ）搬送波のセットおよびアップリンク（ＵＬ）搬送波のセットの第１の構成情報を受信すること、ＷＴＲＵによって、第１の構成情報に従ってＤＬ搬送波のセットおよびＵＬ搬送波のセットを構成すること、ＷＴＲＵによって、ハンドオーバコマンドに応答して、ＵＬ主搬送波を割り当てるための第２の構成情報を受信すること、ＷＴＲＵによって、第２の構成情報に従ってＵＬ主搬送波を構成すること、ＷＴＲＵによって、構成されたＤＬ搬送波のセットを介してメッセージを受信すること、ＷＴＲＵによって、ＵＬ主搬送波上でのみ物理アップリンク制御チャネル（ＰＵＣＣＨ）を介して構成されたＤＬ搬送波のセットについての制御情報を送信することを備える。【選択図】図１１Ｂ
2014209805.tif 000002
【特許請求の範囲】
【請求項１】
マルチキャリア無線通信のための方法であって、
無線送信／受信ユニット（ＷＴＲＵ）によって、ダウンリンク（ＤＬ）搬送波のセットおよびアップリンク（ＵＬ）搬送波のセットの第１の構成情報を受信するステップと、
前記ＷＴＲＵによって、前記第１の構成情報に従って前記ＤＬ搬送波のセットおよび前記ＵＬ搬送波のセットを構成するステップと、
前記ＷＴＲＵによって、ハンドオーバコマンドに応答して、ＵＬ主搬送波を割り当てるための第２の構成情報を受信するステップと、
前記ＷＴＲＵによって、前記第２の構成情報に従って前記ＵＬ主搬送波を構成するステップと、
前記ＷＴＲＵによって、前記構成されたＤＬ搬送波のセットを介してメッセージを受信するステップと、
前記ＷＴＲＵによって、前記ＵＬ主搬送波上でのみ物理アップリンク制御チャネル（ＰＵＣＣＨ）を介して前記構成されたＤＬ搬送波のセットについての制御情報を送信するステップと
を備えることを特徴とする方法。
【請求項２】
前記第１の構成情報および前記第２の構成情報は、共通のメッセージにおいて受信されることを特徴とする請求項１に記載の方法。
【請求項３】
前記ＷＴＲＵによって、前記構成されたＤＬ搬送波のセットのそれぞれのＤＬ搬送波を前記構成されたＵＬ搬送波のセットの対応するＵＬ搬送波とペアにするステップと、
前記ＷＴＲＵによって、前記対応するＵＬ搬送波を介して前記構成されたＤＬ搬送波のセットのそれぞれのＤＬ搬送波の制御情報を送信するステップと
をさらに備えることを特徴とする請求項１に記載の方法。
【発明の詳細な説明】
【技術分野】
【０００１】
この出願は、無線通信に関する。
【背景技術】
【０００２】
マルチキャリア通信では、アップリンク（ＵＬ）上でのダウンリンク（ＤＬ）制御情報の報告は通常、１つのＤＬ搬送波について一度に行われる。したがって、既存のマルチキャリア通信システムには、複数の同時ＤＬ搬送波についてＵＬ上で制御情報を報告する技法が欠けている。
【０００３】
例示的なマルチキャリア無線通信システムは、３ＧＰＰリリース８（Ｒ８）に導入されている３ＧＰＰ（第３世代パートナーシッププロジェクト）ＬＴＥ（Long Term Evolution）システムである。ＬＴＥ  ＤＬ伝送方式は、ＯＦＤＭＡ（直交周波数分割多元接続）エアインターフェースに基づく。ＯＦＤＭＡによれば、無線送信／受信ユニット（ＷＴＲＵ）は、ｅＮＢ（evolved NodeB）によって割り当てられてＬＴＥ伝送帯域幅全体にわたってどこででもそのデータを受信することができる。ＬＴＥ  ＵＬ（アップリンク）方向の場合、単一搬送波（ＳＣ：single carrier）伝送は、ＤＦＴ−Ｓ−ＯＦＤＭＡ（discrete Fourier transform spread OFDMA：離散フーリエ変換拡散ＯＦＤＭＡ）、または同等なものとしてＳＣ−ＦＤＭＡ（単一搬送波周波数分割多元接続）に基づいて使用される。ＵＬにおけるＷＴＲＵは、ＦＤＭＡ構成において割り当てられた副搬送波の、限定されかつ連続したセット上でのみ送信することができる。図１は、ＵＬ伝送またはＤＬ伝送に対する、トランスポートブロック１０２のＬＴＥ搬送波１１０へのマッピングを例示する。レイヤ１（Ｌ１）１０６は、ＨＡＲＱ（ハイブリッド自動再送要求）エンティティ１０４およびスケジューラ１０８から情報を受信し、その情報を使用してトランスポートブロック１０２をＬＴＥ搬送波１１０に割り当てる。図１に示されるように、ＵＬもしくはＤＬ  ＬＴＥ搬送波１１０、または単に搬送波１１０は、複数の副搬送波１１２から成る。ｅＮＢは、伝送帯域幅全体にわたって１つまたは複数のＷＴＲＵから同時にコンポジットＵＬ信号を受信することができ、それぞれのＷＴＲＵは、利用可能な伝送帯域幅または副搬送波のサブセット上で送信する。
【０００４】
ＬＴＥ−Ａｄｖａｎｃｅｄ（ＬＴＥ−Ａ：ＬＴＥアドバンスト）は、ＬＴＥベースの無線アクセスシステムの達成可能なスループットおよびカバレッジをさらに改善し、ＤＬ方向およびＵＬ方向でそれぞれ１Ｇｂｐｓおよび５００ＭｂｐｓのＩＭＴ（International mobile Telecommunications）−Ａｄｖａｎｃｅｄ要件を満たすために、３ＧＰＰ標準化団体によって進められている。改善点のなかでＬＴＥ−Ａについて提案されているのは、キャリアアグリゲーション（carrier aggregation）および柔軟な帯域幅構成のサポートである。ＬＴＥ−Ａは、ＤＬ伝送帯域幅およびＵＬ伝送帯域幅がＲ８  ＬＴＥにおける２０ＭＨｚの制限を超えることを可能にして、例えば、４０ＭＨｚまたは１００ＭＨｚの帯域幅を許容することを提案している。この場合、搬送波は、周波数ブロック全体を占有し得る。
【０００５】
ＬＴＥ−Ａは、利用可能な対のスペクトルのより柔軟な使用を可能にすることを提案しており、Ｒ８  ＬＴＥの場合のように、対称的な対のＦＤＤモードで動作することに限定されない。ＬＴＥ−Ａは、例えば、１０ＭＨｚのＤＬ帯域幅を５ＭＨｚのＵＬ帯域幅と対にすることができる非対称構成を可能にすることを提案している。加えて、ＬＴＥ−Ａは、ＬＴＥと後方互換性があってもよい複合集約的な伝送帯域幅を提案している。例として、ＤＬは、第１の２０ＭＨｚ搬送波に加えて、ＵＬ  ２０ＭＨｚ搬送波と対になる第２の１０ＭＨｚ搬送波を含むことができる。同じＵＬ方向またはＤＬ方向に同時に送信される搬送波は、コンポーネントキャリア（component carrier）と呼ばれる。コンポーネントキャリアの複合集約的な伝送帯域幅は、必ずしも周波数ドメイン内で隣接していなくてもよい。例えば、第１の１０ＭＨｚコンポーネントキャリアは、第２の５ＭＨｚ  ＤＬコンポーネントキャリアからＤＬ帯域において２２．５ＭＨｚだけ間隔を空けてもよい。あるいは、隣接する集約的な伝送帯域幅を使用してもよい。例として、１５ＭＨｚの第１のＤＬコンポーネントキャリアを別の１５ＭＨｚ  ＤＬコンポーネントキャリアと集約し、２０ＭＨｚのＵＬ搬送波と対にすることができる。図２は、コンポーネントキャリア２０５との不連続スペクトルアグリゲーション（spectrum aggregation）を示し、図３は、コンポーネントキャリア３０５との連続スペクトルアグリゲーションを示す。
【０００６】
図４は、ＬＴＥ  Ｒ８によるＰＵＣＣＨ（physical uplink control channel：物理アップリンク制御チャネル）の伝送のために確保された時間周波数ロケーションを例示する。ＰＵＣＣＨは、アップリンク上で制御データを送信するために使用される。図４は、２つのタイムスロット４０２から成る１つのサブフレームを示し、ここで、
【０００７】
【数１】
2014209805.tif 000003
【０００８】
は、アップリンク伝送に利用可能なリソースブロック（ＲＢ）の数を表し、ｎPRBはＲＢインデックスである。周波数スペクトルの端部にあるＲＢをＰＵＣＣＨ伝送に使用することができ、反対側の端部にあるＲＢを２つのタイムスロットで使用してダイバーシティを改善することができる。例として、ＷＴＲＵは、ｍ＝１で示されるＲＢをＰＵＣＣＨ伝送に使用することができる。ＰＵＣＣＨによって搬送される制御データは、ＤＬ伝送に関する肯定応答／否定応答（ＡＣＫ／ＮＡＣＫ）情報、ＳＲ（スケジューリング要求）、ＤＬ伝送に対するスケジューリングを可能にするためのチャネル品質インジケータ（ＣＱＩ）情報、ランクインジケータ（ＲＩ）情報、およびＭＩＭＯ動作を可能にするためのＰＭＩ（precoding matrix indicator：プリコーディングマトリクスインジケータ）情報を含み得るが、これらに限定されない。本明細書において、ＣＱＩという用語はＰＭＩおよびＲＩも含むように一般化される。ＬＴＥ  Ｒ８によれば、ＣＱＩ報告に使用されるＰＵＣＣＨおよびＳＲ（スケジューリング要求）に使用されるＰＵＣＣＨは、それぞれのＰＵＣＣＨがただ１つのダウンリンク搬送波に関する情報を報告するように、周期的になるように構成される。
【０００９】
ＬＴＥ  Ｒ８におけるＰＵＣＣＨ構成は、１つのコンポーネントキャリアに対して設計される。したがって、複数のダウンリンク搬送波に関するＣＱＩ（ＰＭＩおよびＲＩを含む）報告、および複数の搬送波上でのＤＲＸ（不連続受信）サイクルによる影響が少ない効率的なＳＲ報告をサポートするとともに、１つより多いコンポーネントキャリアをＤＬにおいて一度に送信することができる、キャリアアグリゲーションを用いたＬＴＥ−Ａ用のＰＵＣＣＨのための新しい構成を開発することが望ましい。より一般的には、マルチキャリア通信システムにおける複数の同時ＤＬ搬送波に関する情報の同時報告のための技法を開発することが望ましい。
【００１０】
ＬＴＥ−Ａなどのキャリアアグリゲーションを利用するマルチキャリアシステムは、アンカーコンポーネントキャリアおよび非アンカーコンポーネントキャリアを含んでもよい。このことはオーバーヘッドを低減することができるが、それはセルについてのシステム情報、同期化およびページング情報を１つまたは複数のアンカー搬送波上のみで送信することができるからである。アンカー搬送波は、少なくとも１つの検出可能なまたはアクセス可能なアンカー搬送波に対して干渉調整が行われ得る異種ネットワーク環境において同期化、キャンピング（camping）およびアクセスを可能にすることができる。
【００１１】
キャリアアグリゲーションのために、複数の搬送波がＤＬおよびＵＬに存在し得る。しかし、搬送波の品質は変化することがあり、および／またはＤＬまたはＵＬトラフィックの量は動的にまたは半永続的に変化することがある。したがって、柔軟で効率的なＤＬおよびＵＬコンポーネントキャリアの割当ておよび切替えを行って、ＬＴＥ−Ａなどのキャリアアグリゲーションを利用するマルチキャリアシステムに対して改善された利用率および伝送品質をもたらすことが望ましい。
【発明の概要】
【００１２】
マルチキャリア無線通信に対する搬送波割当て、構成および切替えのための方法および装置が開示される。単一のＵＬ（アップリンク）主搬送波は、複数の同時ＤＬ（ダウンリンク）搬送波に関する制御情報を提供することができる。任意選択で、ＤＬ搬送波をＵＬ搬送波と対にすることができ、その結果、それぞれのＤＬ搬送波に関する制御情報はその対のＵＬ搬送波を介して送信される。主搬送波およびアンカー搬送波を含む、ＵＬ搬送波および／またはＤＬ搬送波の搬送波の切替えは、ＷＴＲＵ（無線送信／受信ユニット）またはｅＮＢ（evolved NodeB）によって開始することができ、通常の動作中またはハンドオーバ中に行うことができる。ＵＬ方向のみまたはＤＬ方向のみにおける搬送波の切替えが行われ得る。ＵＬ搬送波のみまたはＤＬ搬送波のみがハンドオーバの一部として切り替えられるとき、単一方向ハンドオーバが実行される。ＵＬ搬送波および／またはＤＬ搬送波の切替えは、１つのコンポーネントキャリアから、別のコンポーネントキャリア、搬送波のサブセット、または同じ方向における全ての搬送波へであってもよい。あるいは、搬送波の切替えは、搬送波のサブセットから、１つのコンポーネントキャリア、搬送波の別のサブセット、または同じ方向における全ての搬送波へであってもよい。
【図面の簡単な説明】
【００１３】
添付図面と併せて例として挙げられる以下の説明から詳細な理解を得ることができる。
【図１】ＬＴＥ  Ｒ８によるトランスポートブロックのＬＴＥ搬送波へのマッピングを示す図である。
【図２】ＬＴＥ−Ａによる不連続スペクトルアグリゲーションを示す図である。
【図３】ＬＴＥ−Ａによる連続スペクトルアグリゲーションを示す図である。
【図４】ＬＴＥ  ＰＵＣＣＨ構造を示す図である。
【図５】複数のＷＴＲＵおよびｅＮＢを含む例示的な無線通信システムを示す図である。
【図６】図５のＷＴＲＵおよびｅＮＢの例示的な機能ブロック図である。
【図７】ＤＬ制御情報のためのＵＬ主搬送波を示す図である。
【図８】ＵＬ上でＤＬ制御情報を送信するためのＵＬ搬送波およびＤＬ搬送波のペアリングを示す図である。
【図９】ＤＬコンポーネントキャリアのセットに関する制御情報を送信するためにアップリンク主搬送波を使用する際の流れ図である。
【図１０】ＵＬ上でＤＬコンポーネントキャリアの制御情報を送信するためにＵＬ搬送波およびＤＬ搬送波を対にする際の流れ図である。
【図１１Ａ】共通のｅＮＢ上での搬送波の切替えの一例を示す図である。
【図１１Ｂ】共通のｅＮＢ上での搬送波の切替えの一例を示す図である。
【図１２Ａ】共通のｅＮＢ上での搬送波の切替えの一例を示す図である。
【図１２Ｂ】共通のｅＮＢ上での搬送波の切替えの一例を示す図である。
【図１３Ａ】単一方向ハンドオーバと呼ばれる、１つのｅＮＢから別のｅＮＢへの搬送波の切替えの一例を示す図である。
【図１３Ｂ】単一方向ハンドオーバと呼ばれる、１つのｅＮＢから別のｅＮＢへの搬送波の切替えの一例を示す図である。
【図１４Ａ】単一方向ハンドオーバと呼ばれる、１つのｅＮＢから別のｅＮＢへの搬送波の切替えの一例を示す図である。
【図１４Ｂ】単一方向ハンドオーバと呼ばれる、１つのｅＮＢから別のｅＮＢへの搬送波の切替えの一例を示す図である。
【発明を実施するための形態】
【００１４】
本明細書で言及する場合、用語「ＷＴＲＵ（無線送信／受信ユニット）」は、ＵＥ（ユーザ機器）、移動局、固定もしくは移動加入者ユニット、ページャ、携帯電話、ＰＤＡ（携帯情報端末）、コンピュータ、または無線環境において動作できる任意の他のタイプのユーザデバイスを含むが、これらに限定されない。また、用語「基地局」は、ノードＢ、サイトコントローラ、アクセスポイント（ＡＰ）、または無線環境において動作できる任意の他のタイプのインターフェースデバイスを含むが、これらに限定されない。
【００１５】
本明細書において記載される諸実施形態は、ＯＦＤＭＡ（直交周波数分割多元接続）およびＯＦＤＭ（直交周波数分割多重）を含むが、これらに限定されない、マルチキャリア通信を利用する任意のシステムに適用可能である。マルチキャリア通信を利用する無線通信システムの例として、ＬＴＥ、ＬＴＥ−Ａ、ＩＥＥＥ（Institute of Electrical and Electronic Engineers）８０２．１１、ＩＥＥＥ８０２．１６ｍ、およびＷｉＭＡＸ（Worldwide Interoperability for Microwave Access）が挙げられるが、これらに限定されない。以下の諸実施形態は、ＬＴＥおよびＬＴＥ−Ａ技術に基づいて、ただしこれらの技術に限定されることなく、例のみとして記載され、任意のマルチキャリア通信システムに適用され得る。フィードバック情報および／または制御情報は、本明細書において制御情報と呼ばれる。
【００１６】
図５は、Ｅ−ＵＴＲＡＮ（Evolved-Universal Terrestrial Radio Access Network）５０５を含むＬＴＥ無線通信システム／アクセスネットワーク５００を示す。Ｅ−ＵＴＲＡＮ５０５は、いくつかのｅＮＢ（evolved NodeB）５２０を含む。ＷＴＲＵ５１０は、ｅＮＢ５２０と通信する。ｅＮＢ５２０は、Ｘ２インターフェースを使用して互いに相互作用する。ｅＮＢ５２０のそれぞれは、Ｓ１インターフェースを介してＭＭＥ（モビリティ管理エンティティ）／Ｓ−ＧＷ（サービングゲートウェイ）５３０と相互作用する。単一のＷＴＲＵ５１０および３つのｅＮＢ５２０が図５に示されているが、無線デバイスおよび有線デバイスの任意の組合せが無線通信システムアクセスネットワーク５００内に含まれ得ることは明らかであるはずである。
【００１７】
図６は、ＷＴＲＵ５１０、ｅＮＢ５２０、およびＭＭＥ／Ｓ−ＧＷ５３０を含むＬＴＥ無線通信システム６００の例示的なブロック図である。図６に示されるように、ＷＴＲＵ５１０、ｅＮＢ５２０およびＭＭＥ／Ｓ−ＧＷ５３０は、マルチキャリア無線通信に対する搬送波割当ておよび切替えの方法を実行するように構成される。
【００１８】
典型的なＷＴＲＵにおいて見出され得る構成要素に加えて、ＷＴＲＵ５１０は、オプションの接続されたメモリ６２２を有するプロセッサ６１６、少なくとも１つの送受信機６１４、オプションのバッテリ６２０、およびアンテナ６１８を含む。プロセッサ６１６は、マルチキャリア無線通信に対する搬送波割当ておよび切替えの方法を実行するように構成される。送受信機６１４は、プロセッサ６１６およびアンテナ６１８と通信して無線通信の伝送および受信を容易にする。ＷＴＲＵ５１０でバッテリ６２０が使用される場合、バッテリ６２０は送受信機６１４およびプロセッサ６１６に電力を供給する。
【００１９】
典型的なｅＮＢにおいて見出され得る構成要素に加えて、ｅＮＢ５２０は、オプションの接続されたメモリ６１５を有するプロセッサ６１７、送受信機６１９、およびアンテナ６２１を含む。プロセッサ６１７は、マルチキャリア無線通信に対する搬送波割当ておよび切替えの方法を実行するように構成される。送受信機６１９は、プロセッサ６１７およびアンテナ６２１と通信して無線通信の伝送および受信を容易にする。ｅＮＢ５２０は、オプションの接続されたメモリ６３４を有するプロセッサ６３３を含むＭＭＥ／Ｓ−ＧＷ（モビリティ管理エンティティ／サービングゲートウェイ）５３０に接続される。
【００２０】
第１の実施形態では、任意の数のＤＬ搬送波に関する制御情報は、本明細書において主ＵＬ搬送波と呼ばれる単一のＵＬ搬送波上で提供され得る。主搬送波は、ＵＬアンカー搬送波または任意の他のタイプのＵＬ搬送波であってもよい。主搬送波は、ＤＬ搬送波に関する制御情報を搬送するために割り当てられる搬送波として定義され得る。任意選択で、それぞれのＤＬ搬送波がＵＬ搬送波と対になるように、複数の主搬送波が存在してもよく、その結果、それぞれのＤＬ搬送波に関する制御情報はその対応する主搬送波上で送信され得る。
【００２１】
図７は、本明細書における教示による、ＤＬ制御情報７００のためのＵＬ主搬送波を示す。図７では、単一のＵＬ主搬送波７０４を使用して１つまたは複数のＤＬコンポーネントキャリア７０２に関する制御情報を搬送する。非主アップリンク搬送波７０６は、ダウンリンク搬送波７０２に関する制御情報を送信するために使用され得ない。主ＵＬ搬送波７０６は、ＵＬアンカー搬送波、または任意の他のＵＬ搬送波であってもよい。
【００２２】
図８は、本明細書における教示による、ＵＬ８００上で制御情報を送信するためのＵＬ搬送波およびＤＬ搬送波のペアリングを示す。図８では、それぞれのＤＬ搬送波８０２a、８０２b、．．．８０２nに関する制御情報が対応する対のＵＬ搬送波８０６a、８０６b、．．．８０６n上で送信されるように、それぞれのＤＬ搬送波８０２a、８０２b、．．．８０２nは対応するＵＬ搬送波８０６a、８０６b、．．．８０６nと対になっている。
【００２３】
図９は、本明細書における教示による、ＤＬコンポーネントキャリアのセットに関する制御情報を送信するためにアップリンク主搬送波を使用する際の流れ図９００を示す。符号９０５では、ＷＴＲＵはＵＬ搬送波のセットおよびＤＬ搬送波のセットに関する第１の構成情報を受信する。第１の構成情報は、１つまたはいくつかの異なるメッセージに含まれ得る。例えば、ＵＬ搬送波のセットに関する構成情報は、ＤＬ搬送波のセット、またはＵＬ搬送波の異なるサブセットに関する構成情報とは別のメッセージで受信され得る。符号９１０では、ＷＴＲＵは第１の構成情報に従ってＵＬ搬送波のセットおよびＤＬ搬送波のセットを構成する。符号９１５では、ＷＴＲＵはＵＬ主搬送波に関する第２の構成情報を受信する。第１の構成情報および第２の構成情報は、共通のメッセージで受信されてもよく、または別のメッセージで受信されてもよい。符号９２０では、ＷＴＲＵは第２の構成情報に従ってＵＬ主搬送波を構成する。符号９２５では、ＷＴＲＵはＤＬ搬送波のセットを介してメッセージを受信する。符号９３０では、ＷＴＲＵはＵＬ主搬送波上でＤＬ搬送波のセットに関する制御情報を送信する。ＷＴＲＵは、ＵＬ主搬送波を介してＤＬ搬送波のセットの全てまたはサブセットに関する制御情報を送信することができる。
【００２４】
図１０は、本明細書における教示による、ＵＬ上でＤＬコンポーネントキャリアの制御情報を送信するためにＵＬ搬送波およびＤＬ搬送波を対にする際の流れ図１０００を示す。符号１００５では、ＷＴＲＵはＵＬ搬送波のセットおよびＤＬ搬送波のセットに関する第１の構成情報を受信する。第１の構成情報は、１つまたはいくつかの異なるメッセージに含まれ得る。例えば、ＵＬ搬送波のセットに関する構成情報は、ＤＬ搬送波のセット、またはＵＬ搬送波の異なるサブセットに関する構成情報とは別のメッセージで受信されてもよい。符号１０１０では、ＷＴＲＵは第１の構成情報に従ってＵＬ搬送波のセットおよびＤＬ搬送波のセットを構成する。符号１０１５では、ＷＴＲＵはＵＬ搬送波を割り当てるための第２の構成情報を受信してＤＬ搬送波のセットに関する制御情報を搬送する。割り当てられたＵＬ搬送波は、アンカー搬送波または主搬送波であってもよく、そうでなくてもよい。第１の構成情報および第２の構成情報は、共通のメッセージで受信されてもよく、または別のメッセージで受信されてもよい。符号１０２０では、ＷＴＲＵは第２の構成情報に従って対応するＵＬ搬送波をＤＬ搬送波のセットからのそれぞれのＤＬ搬送波に割り当てる。符号１０２５では、ＷＴＲＵはＤＬ搬送波のセットを介してメッセージを受信する。符号１０３０では、ＷＴＲＵはその対応するＵＬ搬送波を介してそれぞれのＤＬ搬送波に関する制御情報を送信する。図６を参照すると、搬送波の受信および送信は送受信機６１４によって行うことができ、搬送波の構成およびペアリングはプロセッサ６１６によって行うことができる。
【００２５】
例としてＩＥＥＥ８０２．１６ｍマルチキャリア動作を使用して、効率的な周波数選択的で空間的なスケジューリングをＤＬにおいて達成することができるように、それぞれのアクティブなＤＬ搬送波に関する制御情報の報告をＡＢＳ（アドバンスト基地局）に返す必要がある場合がある。それぞれのアクティブなＤＬ搬送波に関する制御情報は、ＤＬチャネル品質フィードバック、ＤＬ  ＭＩＭＯ（多入力多出力）フィードバック、およびＤＬ  ＨＡＲＱ  ＡＣＫ／ＮＡＣＫを含み得るが、これらに限定されない。対のＵＬ搬送波を有するＤＬ搬送波の場合、そのフィードバック制御情報は、その対応するＵＬ搬送波上で送信するように構成され得る。対のＵＬ搬送波を有さないＤＬ搬送波の場合、そのフィードバック制御情報は、ＡＭＳ（アドバンスト移動局）のＵＬ主搬送波上で送信され得る。ＵＬ主搬送波はＡＭＳ固有であってもよい。
【００２６】
例としてＬＴＥ−Ａを使用して、ＮULおよびＮDLがそれぞれ、アップリンクおよびダウンリンクにおける集約された搬送波の数であると仮定する。ＮULはＮDLと同じでもよく、またはそうでなくてもよいが、後者の場合は非対称キャリアアグリゲーションと呼ばれる。複数の集約された搬送波がＬＴＥ−Ａにおいて使用されるので、効率的な周波数選択的で空間的なスケジューリングをＤＬにおいて行うことができるように、集約された搬送波におけるそれぞれのＤＬコンポーネントキャリアに関する、プリコーディングマトリクスインジケータ（ＰＭＩ）およびＲＩ（ランクインジケータ）を含むＣＳＩ（チャネル状態情報）またはＣＱＩの報告をｅＮＢに返す必要がある。第１の実施形態によれば、全てのＤＬコンポーネントキャリアに関するＣＳＩおよび／またはＣＱＩの周期的な報告のためのＰＵＣＣＨは、ＵＬにおける主搬送波上で送信するように構成される。全てのダウンリンク搬送波に関するＣＳＩおよび／またはＣＱＩの周期的な報告のための１つまたは複数のＰＵＣＣＨは、ＰＵＣＣＨ伝送用に指定された主搬送波上で送信され、他の非主ＵＬ搬送波上に存在することができない。１つまたは複数のＰＵＣＣＨを送信するために割り当てられる主搬送波は、ＰＵＣＣＨ、ＣＱＩ、ＣＳＩ、ＰＭＩ、ＲＩ、ＡＣＫ／ＮＡＣＫ情報、ＨＡＲＱフィードバックおよびＳＲ（スケジューリング要求）を含むが、これらに限定されない任意のタイプの制御情報を搬送することができる。ＵＬ主搬送波はＷＴＲＵ固有であってもよく、ＵＬ主搬送波の指定は、ＲＲＣシグナリング、Ｌ１シグナリングまたはＭＡＣ  ＣＥ（control element：制御要素）を介してＷＴＲＵに信号で伝えられてもよい。あるいは、主搬送波はセル固有であってもよい。ＬＴＥ−Ａ  ＷＴＲＵは、ＭＩＢ（マスタ情報ブロック）またはＳＩＢ（システム情報ブロック）を得ることによって、主搬送波に関する情報を取得することができる。
【００２７】
任意選択で、それぞれのダウンリンク搬送波に関するＣＳＩ／ＣＱＩの周期的な報告のためのＰＵＣＣＨは、ＤＬ搬送波と対になった対応するＵＬ搬送波上で送信するように構成され得る。ＵＬ搬送波とＤＬ搬送波との間のマッピングはＷＴＲＵ固有であってもよく、ＲＲＣシグナリング、Ｌ１シグナリングまたはＭＡＣ  ＣＥ（制御要素）を介してＷＴＲＵに信号で伝えられてもよい。あるいは、アップリンク搬送波とダウンリンク搬送波との間のマッピングは、セル固有であってもよい。ＬＴＥ−Ａ  ＷＴＲＵは、ＭＩＢまたはＳＩＢを得ることによって、情報を取得することができる。アップリンク搬送波とダウンリンク搬送波との間のマッピングは、固定され、規格に規定されていてもよい。
【００２８】
異なるダウンリンク搬送波のＣＳＩおよび／またはＣＱＩ報告の周期は、同じであるかまたは異なるように構成され得る。例えば、ダウンリンクアンカー搬送波のＣＳＩ／ＣＱＩ報告周期は、ダウンリンク非アンカー搬送波のＣＳＩ／ＣＱＩ報告周期よりも短くなるように構成され得る。言い換えると、ダウンリンク非アンカー搬送波のＣＳＩ／ＣＱＩ報告周期は、ダウンリンクアンカー搬送波のＣＳＩ／ＣＱＩ報告周期の整数倍であってもよい。このようにして、ダウンリンクアンカー搬送波のＣＳＩ／ＣＱＩは、ダウンリンク非アンカー搬送波よりも頻繁に報告されるように構成される。異なるダウンリンク搬送波のＣＳＩ／ＣＱＩ報告の周期が同じかどうかに関わらず、異なるダウンリンク搬送波に関するＣＳＩ／ＣＱＩ報告の報告周期内のオフセットは、同じであるかまたは異なるように構成され得る。
【００２９】
例として、上述のように全てのＤＬ搬送波に対してＰＵＣＣＨが主搬送波にマップされていると仮定する。アンカー搬送波がＣＳＩ／ＣＱＩ報告のＰＵＣＣＨリソースを制限している場合、任意のサブフレーム内のＰＵＣＣＨリソースの総量が最小限になるように、ネットワークは異なる搬送波のオフセットを異なるように構成し得る。ＤＬ搬送波の相対的な報告の周期性に関わらず、特定のＤＬ搬送波に関するＰＵＣＣＨ報告が他のＤＬ搬送波に関する報告と重複しないように、システムのフレーム／サブフレームオフセットが構成され得る。あるいは、ＤＬ搬送波毎にＰＵＣＣＨ報告に時差をつけることができる。これを達成する１つの方法は、それぞれの関連するＤＬ搬送波に対して同じＰＵＣＣＨ周期性を、それぞれに対して異なるサブフレームオフセットを用いて構成することである。あるいは、それぞれのＤＬ搬送波に関する報告が交互になるように周期的なＰＵＣＣＨを構成することもできる。ＤＬ搬送波の所定のリストに従って順次切り替わるようにＰＵＣＣＨ  ＣＳＩ／ＣＱＩ報告を定義することができ、または特定の搬送波に関するより高いまたはより低い周期性によって報告するように構成することができる。例えば、２つのＰＵＣＣＨフレーム毎に１つのＤＬ搬送波を報告することができ、４つのＰＵＣＣＨフレーム毎に２つの他の搬送波を報告することができる。別の例では、任意の特定の搬送波に関する周期的な報告を維持するために、報告レート間のモジュロ２乗算を使用して周期的なＰＵＣＣＨ構成を十分に利用することができる。これらの解決策のいずれの場合も、ＰＵＣＣＨ伝送の存在は、ＤＲＸまたは関連するＤＬ搬送波の起動／停止状態（activation/deactivation state）によって制限され得る。ＷＴＲＵが特定のＤＬ搬送波上でＰＤＣＣＨを受信していないとき、主ＵＬ搬送波が複数のダウンリンク搬送波に関する同時のＣＳＩ／ＣＱＩ報告をサポートするために多数のＰＵＣＣＨリソースを有する場合、異なる搬送波のＣＳＩ／ＣＱＩ報告のためのＰＵＣＣＨが整列するように、ネットワークは異なる搬送波のオフセットが同じになるように構成することができる。このように、ＤＲＸサイクルまたは起動／停止状態は、複数のダウンリンク搬送波に関するＣＳＩ／ＣＱＩ報告への影響が少ない。
【００３０】
複数の集約された搬送波がＬＴＥ−Ａにおいて使用されるが、１つだけの全ＷＴＲＵデータ伝送バッファを維持することができる。したがって、バッファ占有率に基づいて、アップリンクチャネルのリソースがＷＴＲＵに対してスケジュールされ得るように、ｅＮＢに対して１つだけのＳＲ（スケジューリング要求）を要求することができる。ＳＲ報告のためのＰＵＣＣＨは、以下の方法を使用して構成され得る。一実施形態では、ＳＲのＰＵＣＣＨ報告は周期的になるように構成され、ＵＬにおける主搬送波上で送信される。ＳＲの１つまたは複数のＰＵＣＣＨ報告は、非主ＵＬ搬送波上に存在することができない。ＵＬ主搬送波はＷＴＲＵ固有であってもよく、ＲＲＣシグナリング、Ｌ１シグナリングまたはＭＡＣ  ＣＥ（制御要素）を介してＷＴＲＵに信号で伝えられてもよい。ＷＴＲＵ固有のＵＬ主搬送波およびＤＬ主搬送波は、ＵＬ搬送波およびＤＬ搬送波全体にわたって改善された負荷分散を可能にする。あるいは、主搬送波はセル固有であってもよい。ＬＴＥ−Ａ  ＷＴＲＵは、ＭＩＢ（マスタ情報ブロック）またはＳＩＢ（システム情報ブロック）を得ることによって、主搬送波に関する情報を取得することができる。セル固有である場合、同じ主ＤＬ搬送波を有する全てのＷＴＲＵは、同じ主ＵＬ搬送波を有し得る。操作のデフォルトモードは、ＷＴＲＵ固有のＲＲＣ再構成手順が適用されるまで、セル固有のＵＬ主搬送波を使用することができる。
【００３１】
別の実施形態では、ＳＲのＰＵＣＣＨ報告を周期的になるように構成することができ、また、アップリンク搬送波のセット上で送信することができ、このセットは２つ以上の搬送波を含むことができるが、全てのＵＬ搬送波のセットよりも少なくてもよい。異なるアップリンク搬送波上にマップされるＰＵＣＣＨの周期およびオフセットを同じであるかまたは異なるように構成することができる。ＷＴＲＵのＳＲ報告のためのＰＵＣＣＨが同じサブフレーム内のいくつかのアップリンク搬送波上で構成される場合、ＷＴＲＵはこれらのＰＵＣＣＨのうちの１つまたはサブセット上で送信することができ、ＰＵＣＣＨは規格によって規定されていてもよい。
【００３２】
ＳＲ報告のためのＰＵＣＣＨの場合、ネットワークはＵＬ＿ＳＣＨ（アップリンク共有チャネル）割当てのＵＬ搬送波を決定し得ると仮定される。あるいは、ＷＴＲＵは、ＵＬリソースが要求されるＵＬ搬送波上でＳＲを送信することによってＵＬ＿ＳＣＨリソースを要求し得る。このようにして、ＷＴＲＵは特定のＵＬ搬送波上でＵＬ＿ＳＣＨ割当てを動的に要求し得る。特定のＵＬ搬送波上でＳＲを生成する決定基準は、トラフィック量ベースおよび／または現在のＵＬ伝送要件をサポートするための他のＵＬ搬送波上での割当ての機能に対するものであってもよい。
【００３３】
マルチキャリア動作を用いるＩＥＥＥ８０２．１６ｍの場合、それぞれのアドバンスト移動局に対して、主搬送波と呼ばれる搬送波を割り当てて、データトラフィックに加えてＰＨＹ（物理）および／またはＭＡＣ（媒体アクセス制御）シグナリングを搬送することができる。ＴＤＤモードでは、ＤＬおよびＵＬの両方に対して、主搬送波として１つの搬送波を使用することができる。ＦＤＤモードでは、それぞれＤＬ主搬送波およびＵＬ主搬送波として、ＤＬ搬送波およびＵＬ搬送波を使用することができる。本明細書における教示によれば、ＡＭＳの主搬送波は動的に変更されてもよい。さらに、本明細書において開示される動的変更の方法をＵＬ搬送波またはＤＬ搬送波のいずれかに適用することができ、ＵＬ搬送波および／またはＤＬ搬送波の任意の新しいセットを動的にまたは半永続的に割り当てることができる。本明細書において開示される動的変更の方法を、ＵＬ搬送波とＤＬ搬送波の両方に一緒に、または単一方向ハンドオーバ手順においてＵＬ搬送波またはＤＬ搬送波に別々に適用することができる。
【００３４】
本明細書において記載される主搬送波の方法またはアンカー搬送波の方法のそれぞれの場合、ＵＬ主搬送波、アンカー搬送波または任意の他の搬送波をＵＬ搬送波の構成されたセット内で切り替えることができる。切替えはＷＴＲＵまたはｅＮＢのいずれかによって開始され、ＲＲＣ、ＭＡＣまたは物理制御シグナリングの方法のいずれかによって信号で伝えられてもよい。この場合、切替えはセル内ハンドオーバ手順の一部であってもよい。加えて、ＵＬ主搬送波、アンカー搬送波または任意の他の搬送波を、現在のセル内で現在構成されているＵＬ搬送波のセットの一部ではないＵＬ搬送波に切り替えることができる。この場合、切替えはセル間ハンドオーバ手順の一部であってもよい。この手順はｅＮＢまたはＷＴＲＵのいずれかによって開始されてもよい。
【００３５】
ＬＴＥ−Ａの場合、ＰＤＣＣＨ（物理ダウンリンク制御チャネル）を搬送するＤＬアンカー搬送波に類似した、主搬送波またはＵＬアンカー搬送波と呼ばれるＵＬ搬送波を割り当ててＰＵＣＣＨを搬送することができる。主搬送波はＵＬアンカー搬送波または任意の他のＵＬ搬送波であってもよい。他の情報のなかでＨＡＲＱフィードバック、ＳＲ、およびＣＱＩ／ＣＳＩを搬送するために、１つまたは複数のＤＬアンカー搬送波およびＵＬアンカー搬送波を含む１つまたは複数のＵＬ主搬送波を使用することもできる。他の情報のなかでＨＡＲＱフィードバック、ＳＲおよびＣＱＩ／ＣＳＩを搬送するために、他の非主ＵＬ搬送波を使用することはできない。本明細書における教示によれば、１つまたは複数のＤＬアンカー搬送波およびＵＬアンカー搬送波を含む１つまたは複数のＵＬ主搬送波を動的に切り替えることができる。さらに、本明細書において開示される動的切替えの方法をＵＬ搬送波またはＤＬ搬送波のいずれかに適用することができ、ＵＬ搬送波および／またはＤＬ搬送波の任意の新しいセットを動的にまたは半永続的に割り当てることができる。本明細書において開示される動的切替えの方法を、ＵＬ搬送波とＤＬ搬送波の両方に一緒に、または単一方向ハンドオーバ手順または搬送波の再構成手順においてＵＬ搬送波またはＤＬ搬送波に別々に適用することができる。
【００３６】
ＷＴＲＵは、ハンドオーバがないＷＴＲＵの通常動作中に、またはハンドオーバ中に、アンカー搬送波または主搬送波を含むＤＬ搬送波および／またはＵＬ搬送波を切り替えることができる。ハンドオーバはセル間またはセル内のいずれかであってもよく、また、ｅＮＢによって制御されてもよく、またはＷＴＲＵが順方向ハンドオーバを開始してもよい。ＤＬ搬送波および／またはＵＬ搬送波の切替えは、速いとみなされる動的であってもよく、またはより遅いとみなされる半永続的であってもよい。ＷＴＲＵでのＤＬおよび／またはＵＬコンポーネントキャリアの切替えは、ｅＮＢからのＤＬシグナリングによってトリガされるか、事前に構成された切替えまたはホッピングパターンに基づき得る。ＤＬアンカー搬送波の切替えのトリガは、ｅＮＢまたはＷＴＲＵによって開始されるものであってもよい。ＤＬ主搬送波またはアンカー搬送波の再割当ては、ＷＴＲＵによって受信されているＤＬ搬送波の現在のセット内の搬送波に対して、または現在そのＷＴＲＵに対するアクティブなＤＬ搬送波のセットの一部ではない新しいＤＬ搬送波に対してであってもよい。新しい主搬送波またはアンカー搬送波の割当てがアクティブなＤＬ搬送波の現在のセット内で行われるとき、ＲＬＣプロトコルおよびＰＤＣＰプロトコルのリセットおよび再確立が必要とされないように、ＷＴＲＵの再構成手順が最適化され得る。
【００３７】
動的および半永続的な切替えならびに単一方向ハンドオーバの方法が以降で詳細に述べられ、ＵＬ方向とＤＬ方向の両方における主搬送波、アンカー搬送波、非アンカー搬送波または任意のアクティブな搬送波を含む任意の種類の搬送波に適用され得る。アンカー搬送波に関して記載される方法を、主搬送波または非アンカー搬送波に同じように適用することができ、またその逆も同様である。
【００３８】
ＤＬおよび／またはＵＬコンポーネントキャリアの切替えは、多くの考えられるパターンに従い得る。１つのパターンによれば、切替えは、１つのコンポーネントキャリアから別のコンポーネントキャリアへである。別のパターンによれば、切替えは、１つのコンポーネントキャリアから搬送波の別のサブセットへであってもよく、このサブセットは、アンカー搬送波または主搬送波であり得るトリガする搬送波を含んでもよく、含まなくてもよい。あるいは、切替えは、１つのコンポーネントキャリアから全てのコンポーネントキャリアへであってもよい。別のパターンでは、切替えは、コンポーネントキャリアの１つのサブセットまたは全てのコンポーネントキャリアからアンカー搬送波または主搬送波であり得る１つのコンポーネントキャリアへであってもよい。別のパターンによれば、切替えは、コンポーネントキャリアのサブセットからコンポーネントキャリアの別のサブセットまたはＤＬ方向またはＵＬ方向における全てのコンポーネントキャリアへであってもよい。さらに別のパターンでは、切替えは、ＤＬ方向またはＵＬ方向における全てのコンポーネントキャリアからコンポーネントキャリアのサブセットへであってもよい。
【００３９】
搬送波の数を増加させることによって搬送波のセットを切り替えることは、拡張（expansion）と呼ばれる。同様に、搬送波の数を減少させることによって搬送波のセットを切り替えることは、縮小（contraction）と呼ばれる。ＤＬおよび／もしくはＵＬコンポーネントキャリアの切替えまたは拡張は、ＲＲＣシグナリングおよび／またはＬ１／Ｌ２シグナリングを使用して信号で伝えられ得る。例えば、ＰＤＣＣＨ、ＰＵＣＣＨ、またはＭＡＣ（媒体アクセス制御）レイヤが使用され得る。ＲＲＣメッセージを使用して切替えを信号で伝えることができ、またはＭＡＣ  ＣＥ（制御要素）およびＰＤＣＣＨを使用して切替えシグナリングをＷＴＲＵに搬送することができる。ＲＲＣメッセージを使用してコンポーネントキャリア構成を提供することができ、ＰＤＣＣＨまたはＭＡＣ  ＣＥを使用して切替えを信号で伝えることができる。ＰＤＣＣＨ／ＰＵＣＣＨおよび／またはＭＡＣ  ＣＥシグナリングを使用する機能も、セル内搬送波の切替えだけのために使用され得る。１つまたは複数のＵＬもしくはＤＬアンカー搬送波または１つまたは複数の主搬送波の切替えは、アクティブな搬送波の現在のセット内で行われてもよい。また、ＲＲＣメッセージを使用して後に続くＷＴＲＵのためのおよびセル間ハンドオーバのための切替えまたはホッピングパターンを信号で伝えることができる。ホッピングおよびＤＬシグナリングを使用してコンポーネントキャリアの切替えをトリガすることができ、信号は、ＷＴＲＵがホッピング手法を使用するときから、ｅＮＢからＷＴＲＵへＰＤＣＣＨまたはＭＡＣ  ＣＥを介して送信され得る。ＷＴＲＵがＤＬシグナリングに基づいてコンポーネントキャリアを切り替えると、ホッピングおよびＤＬシグナリングが開始し得る。ＷＴＲＵは、ＰＤＣＣＨまたはＭＡＣ  ＣＥを使用して搬送波の切替えを信号で伝えるとき、ＷＴＲＵとｅＮＢとの間のアクティブな搬送波の配列を維持するために搬送波の切替えのメッセージに肯定応答を送ることができる。また、ＰＤＣＣＨまたはＭＡＣ  ＣＥの受信に対してサブフレーム境界上での時刻同期した切替えを定義することができる。
【００４０】
一実施形態によれば、ＤＬおよび／またはＵＬコンポーネントキャリアの切替えは、１つのコンポーネントキャリアから別のコンポーネントキャリアへであってもよい。これは、ＷＴＲＵが１つのアンカー搬送波から別のアンカー搬送波へ切り替えるときに行われ得る。ＰＤＣＣＨまたはＭＡＣ  ＣＥを使用して切替えをＷＴＲＵに信号で伝えることができる。切替えがハンドオーバ中に行われる場合、ハンドオーバコマンドに含まれるＲＲＣメッセージを使用して１つのセルから別のセルへアンカー搬送波の切替えを信号で伝えることができる。ＰＤＣＣＨまたはＭＡＣ  ＣＥまたはハンドオーバコマンドの内部に含まれるメッセージは、以下の情報、すなわち、開始伝送時間間隔（ＴＴＩ）、例えば、新しいＤＬアンカー搬送波をキャプチャするためまたは新しいＵＬ搬送波上で送信するためにＷＴＲＵが監視するシステムフレーム番号（ＳＦＮ）、既存のＵＬ／ＤＬアンカー搬送波に対してＷＴＲＵによって切断されるＴＴＩ（例えばＳＦＮ）、ＷＴＲＵはＷＴＲＵがリッスンする新しいＤＬ／ＵＬアンカー搬送波および次のアンカー搬送波上にどのくらい留まり得るか、および新しいアンカー搬送波上でのＤＲＸ（不連続受信）に対する無活動タイマ（inactivity timer）またはオンデュレーションタイマ（on-duration timer）を開始するトリガのいずれかまたは全てを含み得る。アンカー搬送波を切り替えるとき、異なる搬送波に対する構成は維持され得る。任意選択で、いくつかの搬送波に対する構成は変化し得る。
【００４１】
既存のアンカー搬送波から別のアンカー搬送波への切替えをトリガするためにＰＤＣＣＨまたはＭＡＣ  ＣＥを使用することに加え、切替えは、ＲＲＣメッセージを介して信号で伝えることができるホッピングパターンに従うこともできる。ｅＮＢはＰＤＣＣＨまたはＭＡＣ  ＣＥを使用して、ＷＴＲＵに、搬送波のホッピングパターンを終了させ、ＷＴＲＵが搬送波の切替えをトリガするためにＰＤＣＣＨまたはＭＡＣ  ＣＥ上に含まれる情報に従うことを要求するように信号で伝えることができる。あるいは、ｅＮＢは、ＰＤＣＣＨまたはＭＡＣ  ＣＥを使用してＲＲＣメッセージによって信号で伝えられるホッピングパターンに続く搬送波の切替えを起動することができる。
【００４２】
別の実施形態によれば、ＤＬおよび／またはＵＬコンポーネントキャリアの切替えは、１つのコンポーネントキャリアから搬送波の別のサブセットへであってもよく、このサブセットは、トリガする搬送波を含まなくてもよく、また、主搬送波であり得るアンカー搬送波のみまたは全てのコンポーネントキャリアであってもよい。これは、前に述べたように主搬送波であり得るアンカー搬送波によって起動されるより多くのＤＬコンポーネントキャリアを必要とするＤＬデータがあるときに行われ得る。他のＤＬコンポーネントキャリアの起動は、ＰＤＣＣＨまたはＭＡＣ  ＣＥを介してでもよい。ＰＤＣＣＨまたはＭＡＣ  ＣＥは、どのＤＬコンポーネントキャリアが起動され得るかに関するインジケータを含むこともできる。起動される搬送波に関するパラメータは、それぞれの搬送波について同じであってもよく、同じでなくてもよい。例えば、それぞれのコンポーネントキャリアに対する無活動タイマは異なっていてもよい。搬送波のサブセットは同時に起動され得るが、ＤＬ伝送アクティビティによっては、一定のコンポーネントキャリアはＰＤＣＣＨまたはＭＡＣ  ＣＥを介してアンカー搬送波によって停止され得る。コンポーネントキャリアのこのサブセットのそれぞれは、その搬送波でのＤＬ伝送が成功裏に完了した場合、自立的にスリープに入り得る。これがハンドオーバ中に行われる場合、起動メッセージはハンドオーバコマンドに含まれ得る。
【００４３】
別の実施形態によれば、ＤＬおよび／またはＵＬコンポーネントキャリアの切替えは、コンポーネントキャリアの１つのサブセットまたは全てのコンポーネントキャリアから１つのコンポーネントキャリア、例えば、主搬送波であり得るアンカー搬送波へであってもよい。これは、コンポーネントキャリアのうちのいくつかまたは全てがデータ伝送のために休止状態から起動されてから、伝送を終了し、スリープモードに戻るときに行われ得る。搬送波を停止させるための切替えは、アンカー（または主）搬送波を除くコンポーネントキャリアのサブセットのそれぞれに対して、ＰＤＣＣＨまたはＭＡＣ  ＣＥを介して信号で伝えられ得る。あるいは、アンカー搬送波以外の搬送波は、１つまたは複数のタイマが満了すると自立的に停止し得る。あるいは、メッセージはアンカー搬送波上のＰＤＣＣＨまたはＭＡＣ  ＣＥに含まれるだけでもよい。この切替え中に、存続するアンカー搬送波は、コンポーネントキャリアのサブセットを起動するアンカー搬送波とは異なっていてもよい。これがハンドオーバ中に行われる場合、起動メッセージはハンドオーバコマンドに含まれ得る。
【００４４】
別の実施形態によれば、ＤＬおよび／またはＵＬコンポーネントキャリアの切替えは、コンポーネントキャリアのサブセットからコンポーネントキャリアの別のサブセットまたは全てのコンポーネントキャリアへであってもよい。同様に、切替えは、全てのコンポーネントキャリアからコンポーネントキャリアのサブセットへであってもよい。切替えは、アンカー搬送波上のＰＤＣＣＨまたはＭＡＣ  ＣＥを介してＷＴＲＵに信号で伝えられ得る。任意選択で、全てのアクティブなコンポーネントキャリアからのメッセージはＰＤＣＣＨまたはＭＡＣ  ＣＥに含まれ得る。ＷＴＲＵがメッセージを受信すると、ＷＴＲＵは、信号で伝えられる内容に従って一定のコンポーネントキャリアを停止し、他の搬送波を起動し得る。これがハンドオーバ中に行われる場合、起動メッセージはハンドオーバコマンドに含まれ得る。また、切替えは、ＲＲＣメッセージを介して信号で伝えられた事前に構成されたホッピングパターンに基づいて行われ得る。
【００４５】
アンカー搬送波および搬送波のアクティブなセットの切替えをセル間ハンドオーバにおいて適用することができる。任意の１つのアクティブなＵＬ搬送波またはＤＬ搬送波を再割当てして、ＰＤＣＣＨ／ＰＵＣＣＨ、またはＲＲＣ再構成を必要としないＭＡＣ  ＣＥシグナリングを有するアンカー搬送波とすることができる。明示的な信号確認は、ＨＡＲＱ肯定応答信号を介して送られ得るが、例えば特定の搬送波上でのＷＴＲＵに対するＰＤＣＣＨまたはＰＵＣＣＨの再割当てを検出することによって、暗黙的な確認も可能である。既存の構成は、新しいアンカー搬送波に転送され得る。この構成は、ＰＤＣＣＨ構成およびＰＵＣＣＨ構成を越えて、例えば、ＤＲＸサイクルおよび関連するタイマ、半永続的なスケジューリング構成、ＨＡＲＱエンティティ／プロセス割当ておよび他の構成を含んでもよい。
【００４６】
セル内ハンドオーバの場合、アンカー搬送波もしくは主搬送波、またはアクティブな搬送波のセットの切替えを、ＵＬ搬送波だけまたはＤＬ搬送波だけのために適用することができる。これは、単一方向ハンドオーバとみなされ得る。その方向における構成および動作のみが搬送波の切替えの影響を受ける。搬送波の切替えの基準は、例えば、搬送波の品質測定値またはトラフィック輻輳であってもよい。ＷＴＲＵはＲＬＦ（無線リンク障害）手順を使用することができ、またはｅＮＢはＳＲＳ（サウンドリファレンス信号）またはＣＱＩ（チャネル品質インジケータ）の受信を使用してその手順を呼び出すことができる。ＷＴＲＵは、１つまたは複数のＤＬコンポーネントキャリア上のＲＬＦを検出し、選択して、ＤＬ搬送波の切替え手順を呼び出すことができる。このＤＬ切替え手順を一意的にＤＬアンカー搬送波または主搬送波に適用することができる。ＷＴＲＵによって開始される手順は、ＲＲＣ、ＭＡＣ  ＣＥ、またはＰＵＣＣＨシグナリングのいずれかによって達成され得る。ｅＮＢは、それぞれの構成されたＵＬ搬送波上でのＳＲＳの受信からＵＬコンポーネントキャリアの切替えのための基準を検出するか、またはＵＬ主コンポーネントキャリア上で受信されたＤＬ  ＣＱＩ報告からＤＬコンポーネントキャリアの切替えのための基準を検出することができる。ｅＮＢによって開始されるＵＬまたはＤＬコンポーネントキャリア（ＣＣ）の切替え手順は、ＲＲＣ、ＭＡＣ  ＣＥ、またはＰＤＣＣＨシグナリングによって達成され得る。
【００４７】
図１１Ａ、図１１Ｂ、図１２Ａおよび図１２Ｂは、共通のｅＮＢ上での搬送波の切替えの例を示す。図１１Ａおよび１１Ｂでは、ＤＬ搬送波１１１０A、１１１０B、および１１１０C並びにＵＬ搬送波１１１２A、１１１２B、および１１１２Cは、ｅＮＢ１１０２とＷＴＲＵ１１０６との間で構成されている。ＤＬ搬送波１１１０A、１１１０B、および１１１０C並びにＵＬ搬送波１１１２A、１１１２B、および１１１２Cは、アンカー搬送波、主搬送波および非アンカー搬送波を含み得る。図１１Ａおよび図１１Ｂでは、伝送は、現在構成され起動されており、有効なＤＬスケジューリング割当てまたはＵＬグラントを有する任意の搬送波１１１０A、１１１０B、１１１０C、１１１２A、１１１２B、および１１１２C上に存在する。図１１Ａでは、網かけで示されているように、ＤＬ主搬送波またはアンカー搬送波はＤＬ搬送波１１１０A上で構成され、ＵＬ主搬送波またはアンカー搬送波はＵＬ搬送波１１１２B上で構成されている。図１１Ｂでは、以前はＵＬ搬送波１１１２B上に存在していたＵＬ主搬送波は、構成された搬送波のセット内のＵＬ搬送波１１１２Cに切り替えられる。例えば、ＵＬ主搬送波またはアンカー搬送波１１１２Bは、新しいＵＬ主搬送波またはアンカー搬送波１１１２Cに切り替えられ得る。ＵＬ搬送波が切り替えられたときにＤＬ搬送波が切り替えられ得ないように、ＵＬおよびＤＬにおける切替えは独立して、または単一方向で行われ得る。
【００４８】
同様に、図１２Ａおよび図１２Ｂでは、ＤＬ搬送波１２１０A、１２１０B、および１２１０C並びにＵＬ搬送波１２１２A、１２１２B、および１２１２Cは、ｅＮＢ１２０２とＷＴＲＵ１２０６との間で構成されている。ＤＬ搬送波１２１０A、１２１０B、および１２１０C並びにＵＬ搬送波１２１２A、１２１２B、および１２１２Cは、アンカー搬送波、主搬送波および非アンカー搬送波を含み得る。図１２Ａおよび図１２Ｂでは、伝送は、現在構成され起動されており、有効なＤＬスケジューリング割当てまたはＵＬグラントを有する任意の搬送波１２１０A、１２１０B、１２１０C、１２１２A、１２１２B、および１２１２C上に存在する。図１２Ａでは、網かけで示されているように、ＤＬ主搬送波またはアンカー搬送波はＤＬ搬送波１２１０A上で構成され、ＵＬ主搬送波またはアンカー搬送波はＵＬ搬送波１２１２B上で構成されている。図１２Ｂでは、以前はＤＬ搬送波１２１０A上に存在していたＤＬ主搬送波は、構成された搬送波のセット内のＤＬ搬送波１２１０Cに切り替えられる。例えば、ＤＬ主搬送波またはアンカー搬送波１２１０Aは、新しいＤＬ主搬送波またはアンカー搬送波１２１０Cに切り替えられ得る。ＤＬ搬送波が切り替えられたときにＵＬ搬送波が切り替えられ得ないように、ＵＬおよびＤＬにおける切替えは独立して、または単一方向で行われ得る。
【００４９】
図１１Ａ、図１１Ｂ、図１２Ａおよび図１２Ｂは、既存の構成された搬送波のセット内の共通のｅＮＢ上での搬送波の切替えの例を図示している。これらの例では、主搬送波またはアンカー搬送波は、現在構成されている搬送波のセット内で切り替えられる。同様に、搬送波は、新しい搬送波を構成してから切替えを実行することによって、以前に構成された搬送波のセット以外で切り替えられ得る。さらに、搬送波の切替え中に、構成された搬送波のセットを拡張または縮小することができる。同様の手順を非主搬送波または非アンカー搬送波に適用することができる。
【００５０】
図１３Ａ、図１３Ｂ、図１４Ａおよび図１４Ｂは、単一方向ハンドオーバと呼ばれる、１つのｅＮＢから別のｅＮＢへの搬送波の切替えの例を示す。図１３Ａおよび図１３Ｂでは、ＤＬ搬送波１３１０A、１３１０B、および１３１０C並びにＵＬ搬送波１３１２A、１３１２B、および１３１２Cは、ｅＮＢ１３０２とＷＴＲＵ１３０６との間で構成されている。また、ＤＬ搬送波１３１０Dは、ｅＮＢ１３０４とＷＴＲＵ１３０６との間で構成されている。ＤＬ搬送波１３１０A、１３１０B、１３１０C、および１３１０D並びにＵＬ搬送波１３１２A、１３１２B、および１３１２Cは、アンカー搬送波、主搬送波および非アンカー搬送波を含み得る。図１３Ａおよび図１３Ｂでは、伝送は、現在構成され起動されており、有効なＤＬスケジューリング割当てまたはＵＬグラントを有する任意の搬送波１３１０A、１３１０B、１３１０C、１３１０D、１３１２A、１３１２B、および１３１２C上に存在する。図１３Ａでは、網かけで示されているように、ＤＬ主搬送波またはアンカー搬送波はＤＬ搬送波１３１０A上で構成され、ＵＬ主搬送波またはアンカー搬送波はＵＬ搬送波１３１２C上で構成されている。図１３Ｂでは、以前はＤＬ搬送波１３１０A上に存在していたＤＬ主搬送波は、単一方向ハンドオーバの一部として、ｅＮＢ１３０４上の構成されたＤＬ搬送波１３１０Dに切り替えられる。例えば、ＤＬ主搬送波またはアンカー搬送波１３１０Aは、新しいｅＮＢ１３０４上の新しいＤＬ主搬送波またはアンカー搬送波１３１０Dに切り替えられ得る。ＵＬ搬送波が切り替えられたときにＤＬ搬送波が切り替えられ得ないように、ＵＬおよびＤＬにおける切替えは独立して、または単一方向で行われ得る。
【００５１】
図１４Ａおよび図１４Ｂでは、ＤＬ搬送波１４１０A、１４１０B、および１４１０C並びにＵＬ搬送波１４１２A、１４１２B、および１４１２Cは、ｅＮＢ１４０２とＷＴＲＵ１４０６との間で構成されている。また、ＵＬ搬送波１４１２Dは、ｅＮＢ１４０４とＷＴＲＵ１４０６との間で構成されている。ＤＬ搬送波１４１０A、１４１０B、１４１０C、および１４１０D並びにＵＬ搬送波１４１２A、１４１２B、および１４１２Cは、アンカー搬送波、主搬送波および非アンカー搬送波を含み得る。図１４Ａおよび図１４Ｂでは、伝送は、現在構成され起動されており、有効なＤＬスケジューリング割当てまたはＵＬグラントを有する任意の搬送波１４１０A、１４１０B、１４１０C、１４１２A、１４１２B、１４１２Cおよび１４１２D上に存在する。図１４Ａでは、網かけで示されているように、ＤＬ主搬送波またはアンカー搬送波はＤＬ搬送波１４１０A上で構成され、ＵＬ主搬送波またはアンカー搬送波はＵＬ搬送波１４１２C上で構成されている。図１４Ｂでは、以前はＵＬ搬送波１４１２C上に存在していたＵＬ主搬送波は、単一方向ハンドオーバの一部として、ｅＮＢ１４０４上の構成されたＵＬ搬送波１４１２Dに切り替えられる。例えば、ＵＬ主搬送波またはアンカー搬送波１４１２Cは、新しいｅＮＢ１４０４上の新しいＵＬ主搬送波またはアンカー搬送波１４１２Dに切り替えられ得る。ＵＬ搬送波が切り替えられたときにＤＬ搬送波が切り替えられ得ないように、ＵＬおよびＤＬにおける切替えは独立して、または単一方向で行われ得る。
【００５２】
図１３Ａ、図１３Ｂ、図１４Ａおよび図１４Ｂは、既存の構成された搬送波のセット内の異なるｅＮＢ間での搬送波の切替え（すなわち、単一方向ハンドオーバ）の例を図示している。これらの例では、主搬送波またはアンカー搬送波は、現在構成されている搬送波のセット内で切り替えられる。同様に、搬送波は、対象のｅＮＢ上で新しい搬送波を構成してから切替えを実行することによって、以前に構成された搬送波のセット以外で切り替えられ得る。さらに、搬送波の切替え中に、既存のｅＮＢまたは対象のｅＮＢ上のいずれかで、構成された搬送波のセットを拡張または縮小することができる。同様の手順を非主搬送波または非アンカー搬送波に適用することができることにも留意すべきである。
【００５３】
実施形態
１．マルチキャリア無線通信のための方法。
【００５４】
２．ＤＬ（ダウンリンク）搬送波のセットおよびＵＬ（アップリンク）搬送波のセットに関する第１の構成情報を受信することをさらに含む、実施形態１に記載の方法。
【００５５】
３．第１の構成情報に従ってＤＬ搬送波のセットおよびＵＬ搬送波のセットを構成することをさらに含む、前記実施形態のいずれかに記載の方法。
【００５６】
４．ＵＬ主搬送波を割り当てるための第２の構成情報を受信することをさらに含む、前記実施形態のいずれかに記載の方法。
【００５７】
５．第２の構成情報に従ってＵＬ主搬送波を割り当てることをさらに含む、前記実施形態のいずれかに記載の方法。
【００５８】
６．ＤＬ搬送波の構成されたセットを介してメッセージを受信することをさらに含む、前記実施形態のいずれかに記載の方法。
【００５９】
７．ＵＬ主搬送波を介してＤＬ搬送波の構成されたセットに関する制御情報を送信することをさらに含む、前記実施形態のいずれかに記載の方法。
【００６０】
８．第１の構成情報および第２の構成情報が共通のメッセージで受信される、前記実施形態のいずれかに記載の方法。
【００６１】
９．ＤＬ搬送波の構成されたセットからのそれぞれのＤＬ搬送波を、ＵＬ搬送波の構成されたセットからの対応するＵＬ搬送波と対にすることをさらに含む、前記実施形態のいずれかに記載の方法。
【００６２】
１０．ＤＬ搬送波の構成されたセットからのそれぞれのＤＬ搬送波に関する制御情報を対応するＵＬ搬送波を介して送信することをさらに含む、実施形態９に記載の方法。
【００６３】
１１．ＤＬ搬送波のセットおよびＵＬ搬送波のセットがＬＴＥ−Ａ（アドバンスト）無線通信におけるコンポーネントキャリアである、前記実施形態のいずれかに記載の方法。
【００６４】
１２．ＵＬ主搬送波がアンカー搬送波である、前記実施形態のいずれかに記載の方法。
【００６５】
１３．制御情報がＰＵＣＣＨ（物理ＵＬ制御チャネル）、ＨＡＲＱ（ハイブリッド自動再送要求）フィードバック、ＳＲ（スケジューリング要求）、ＣＳＩ（チャネル状態情報）、ＣＱＩ（チャネル品質インジケータ）、ＰＭＩ（プリコーディングマトリクスインジケータ）、またはＲＩ（ランクインジケータ）のうちの少なくとも１つを含む、前記実施形態のいずれかに記載の方法。
【００６６】
１４．ＤＬ搬送波のセットおよびＵＬ搬送波のセットがＩＥＥＥ８０２．１６ｍ無線通信における搬送波である、実施形態１〜１０のいずれかに記載の方法。
【００６７】
１５．ＵＬ搬送波の構成されたセットからの少なくとも１つのＵＬ搬送波を介してＵＬ通信を送信することをさらに含む、前記実施形態のいずれかに記載の方法。
【００６８】
１６．ＤＬ搬送波の構成されたセットからの少なくとも１つのＤＬ搬送波を介してＤＬ通信を受信することをさらに含む、前記実施形態のいずれかに記載の方法。
【００６９】
１７．ＵＬ通信を新しいＵＬ搬送波に切り替える命令を受信することをさらに含む、前記実施形態のいずれかに記載の方法。
【００７０】
１８．命令に従ってＵＬ通信を少なくとも１つのＵＬ搬送波から新しいＵＬ搬送波に切り替えることをさらに含む、実施形態１７に記載の方法。
【００７１】
１９．少なくとも１つのＤＬ搬送波を介してＤＬ通信の受信を継続することをさらに含む、前記実施形態のいずれかに記載の方法。
【００７２】
２０．少なくとも１つのＵＬ搬送波および新しいＵＬ搬送波が共通のｅＮＢ上にある、実施形態１７〜１９のいずれかに記載の方法。
【００７３】
２１．少なくとも１つのＵＬ搬送波が第１のｅＮＢ上にあって、新しいＵＬ搬送波が第２のｅＮＢ上にあり、ＵＬ通信を切り替えることが単一方向ハンドオーバの一部である、実施形態１７〜１９のいずれかに記載の方法。
【００７４】
２２．新しいＵＬ搬送波がＵＬ搬送波の構成されたセットからのものである、実施形態１７〜２１のいずれかに記載の方法。
【００７５】
２３．新しいＵＬ搬送波が、構成されていない搬送波である、実施形態１７〜２１のいずれかに記載の方法であって、ＵＬ通信を切り替える前に新しいＵＬ搬送波を構成することをさらに含む方法。
【００７６】
２４．ＤＬ通信を新しいＤＬ搬送波に切り替える命令を受信することをさらに含む、前記実施形態のいずれかに記載の方法。
【００７７】
２５．命令に従ってＤＬ通信を少なくとも１つのＤＬ搬送波から新しいＤＬ搬送波に切り替えることをさらに含む、実施形態２４に記載の方法。
【００７８】
２６．少なくとも１つのＵＬ搬送波を介してＵＬ通信の受信を継続することをさらに含む、前記実施形態のいずれかに記載の方法。
【００７９】
２７．少なくとも１つのＤＬ搬送波および新しいＤＬ搬送波が共通のｅＮＢ上にある、実施形態２４〜２６のいずれかに記載の方法。
【００８０】
２８．少なくとも１つのＤＬ搬送波が第１のｅＮＢ上にあって、新しいＤＬ搬送波が第２のｅＮＢ上にあり、ＤＬ通信を切り替えることが単一方向ハンドオーバの一部である、実施形態２４〜２６のいずれかに記載の方法。
【００８１】
２９．新しいＤＬ搬送波がＤＬ搬送波の構成されたセットからのものである、実施形態２４〜２８のいずれかに記載の方法。
【００８２】
３０．新しいＤＬ搬送波が、構成されていない搬送波である、実施形態２４〜２８のいずれかに記載の方法であって、ＤＬ通信を切り替える前に新しいＤＬ搬送波を構成することをさらに含む方法。
【００８３】
３１．ＷＴＲＵ（無線送信／受信ユニット）によって実行される、前記実施形態のいずれかに記載の方法。
【００８４】
３２．ｅＮＢによって実行される、実施形態１〜３０のいずれかに記載の方法。
【００８５】
特徴および要素を特定の組合せで上述したが、それぞれの特徴または要素は、その他の特徴および要素なしで単独で、または他の特徴および要素あり若しくはなしで様々な組合せで使用され得る。本明細書において提供される方法または流れ図は、汎用コンピュータまたはプロセッサによって実行するためにコンピュータ可読記憶媒体に組み込まれたコンピュータプログラム、ソフトウェア、またはファームウェアにおいて実施され得る。コンピュータ可読記憶媒体の例としては、ＲＯＭ、ＲＡＭ、レジスタ、キャッシュメモリ、半導体メモリデバイス、内部ハードディスクおよび取外し可能ディスクなどの磁気媒体、光磁気媒体、ならびにＣＤ−ＲＯＭディスクおよびＤＶＤなどの光学媒体が挙げられる。
【００８６】
適切なプロセッサとしては、例として、汎用プロセッサ、専用プロセッサ、従来型プロセッサ、ＤＳＰ（デジタル信号プロセッサ）、複数のマイクロプロセッサ、ＤＳＰコアに関連する１つまたは複数のマイクロプロセッサ、コントローラ、マイクロコントローラ、ＡＳＩＣ（特定用途向け集積回路）、ＦＰＧＡ（フィールドプログラマブルゲートアレイ）回路、任意の他のタイプのＩＣ（集積回路）、および／または状態機械が挙げられる。
【００８７】
ソフトウェアに関連するプロセッサを使用して、ＷＴＲＵ（無線送信／受信ユニット）、ＵＥ（ユーザ機器）、端末、基地局、無線ネットワークコントローラ（ＲＮＣ）、または任意のホストコンピュータにおいて使用するための無線周波数送受信機を実施することができる。ＷＴＲＵをモジュールと組み合わせて使用し、カメラ、ビデオカメラモジュール、ビデオフォン、スピーカフォン、振動デバイス、スピーカ、マクロフォン、テレビジョン送受信機、ハンズフリーヘッドセット、キーボード、Ｂｌｕｅｔｏｏｔｈ（登録商標）モジュール、ＦＭ（周波数変調）無線ユニット、ＬＣＤ（液晶ディスプレイ）表示ユニット、ＯＬＥＤ（有機発光ダイオード）表示ユニット、デジタル音楽プレーヤ、メディアプレーヤ、ビデオゲームプレーヤモジュール、インターネットブラウザ、および／または任意のＷＬＡＮ（無線ローカルエリアネットワーク）もしくはＵＷＢ（超広帯域）モジュールなどのハードウェアおよび／またはソフトウェアにおいて実施することができる。
【図１】
2014209805.tif 000004
【図２】
2014209805.tif 000005
【図３】
2014209805.tif 000006
【図４】
2014209805.tif 000007
【図５】
2014209805.tif 000008
【図６】
2014209805.tif 000009
【図７】
2014209805.tif 000010
【図８】
2014209805.tif 000011
【図９】
2014209805.tif 000012
【図１０】
2014209805.tif 000013
【図１１Ａ】
2014209805.tif 000014
【図１１Ｂ】
2014209805.tif 000015
【図１２Ａ】
2014209805.tif 000016
【図１２Ｂ】
2014209805.tif 000017
【図１３Ａ】
2014209805.tif 000018
【図１３Ｂ】
2014209805.tif 000019
【図１４Ａ】
2014209805.tif 000020
【図１４Ｂ】
2014209805.tif 000021